(57)【要約】【課題】  吹出し風の方向を変更するために、複数の比翼より成る風向調整用のの比翼が組み込まれており、天井に設置される空気調整機において、空調装置が動作していない場合に、比翼が閉じたとき、全ての比翼が略平行となり意匠上好適な空調装置を提供することにある【解決手段】  本発明では、空気の吹出し方向を調整する複数の比翼と、該複数の比翼を連結杆にて連動させるリンク装置を備えた、天井に配設される空調装置において、前記比翼と前記連結杆を接続する連結杆の連係孔における中心軸間距離を、前記比翼の中心軸間距離を規準として、前記比翼が開となる際に前記連結杆が移動する方向に位置する比翼においては短くし、前記比翼が閉となる際に前記連結杆が移動する方向に位置する比翼においては長くした。【選択図】  図１
2005241238.tif 000002
【特許請求の範囲】
【請求項１】
同形状の複数のルーバーと、該複数のルーバーの隣合うルーバーどうしを当接させ、前記複数のルーバーのそれぞれのルーバーの側方から隣り合う軸間間隔を等間隔としてクランク状に突出形成させたルーバー軸と、前記複数のルーバーごとに形成されたルーバー軸を挿入させる複数の同径の連結孔を有する連結杆とを備え空気の吹出し方向を下向きとして開閉するルーバー装置と、前記連結孔に前記ルーバー軸を挿入させ、前記ルーバー軸のうち駆動源に連結されたルーバー軸を駆動させることで、前記連結杆を介して前記複数のルーバーを連動させるリンク装置とを備えた空調装置において、前記連結杆の複数の連結孔は前記ルーバー軸に対してクリアランスを持って開口され、前記駆動源に連結されたルーバー軸が挿入される連結孔を除き、ルーバーが閉となるとき前記連結奸が移動する方向に位置するルーバー軸を挿入させる連結口においては、前記ルーバーの軸間間隔よりクリアランス分長くなるように設定し、ルーバーが開となるとき前記連結奸が移動する方向に位置するルーバー軸を挿入させる連結口においては、前記ルーバーの軸間間隔よりクリアランス分短くなるように設定したことを特徴とする空調装置。
【請求項２】
前記連結杆は可動ルーバー締結部を有し、前記可動ルーバー締結部をスライドさせることで、前記中心間間隔を調整可能としたことを特徴とする請求項１に記載の空調装置。
【発明の詳細な説明】
【技術分野】
【０００１】
本願発明は、風向調整用のルーバーを用いた空調装置に係り、特に天井に設置され、空調装置が動作していない場合、略水平方向にルーバーが閉じる構造の空調装置における、好適な風向調整用のルーバーの構造を有する空調装置に関する発明である。
【背景技術】
【０００２】
従来のエアコンや浴室乾燥機などの空調装置においては、吹出し風の方向を変更するために、風向調整用のルーバーが組み込まれている場合がある。そして、風向調整機を複数のルーバーで構成する場合、連結杆によって全てのルーバーを連動可能に連結するように構成しておき、複数のルーバーの内の一つのルーバーを駆動源に繋ぎ、駆動源によって一つのルーバーに直接動力を伝えることにより作動させるようにし、この駆動源に直接接続されているルーバーが開または閉の方向へ移動作動をすることで、このルーバーと連結杆で連結された他のルーバーは、連結杆を介して駆動源に直接接続されているルーバーと同じように開または閉の作動をするようにリンク機構が構成されている（例えば、特許文献１参照。）。
【０００３】
このような場合、駆動源によって直接動力を伝えるルーバーが、駆動源により閉の方向へ移動したとき、この駆動源に直接接続されているルーバーが回転運動を行い他のルーバーを連動させるために、ルーバー自体が回転運動を行うための回転軸とその回転軸を支える回転軸支持部との間のクリアランスと、リンク機構と回転軸との間のクリアランスが必要なため、他のルーバーは、ルーバー自体の自重の影響で前記クリアランス分だけ開いた状態になり、駆動源に直接接続されているルーバーと他のルーバーとの閉止位置を同じ角度とすることは出来なかった。
このような床置き式の場合は、前記クリアランス分は他のルーバーの自重により同じ角度（平行）に閉止される位置まで移動し、定位置に収まる。
【０００４】
このような従来の構造では、吹出し風方向が下向きであり、吹出し停止時にルーバーが閉じる構造の天井に設置される空調装置においては、駆動源によって直接動力を伝えるルーバーが閉まる位置にあっても、他のルーバーが連結杆によって連結されている状態であっても自重によって室内方向へ垂れ下がる結果となり、意匠上好適とはいえなかった。
そのため、従来の連動構造を有する風向調整用のルーバーにおいては、空調装置の吹出し停止時のルーバーの状態が、自重により駆動源によって直接動力を伝えるルーバー以外のルーバーが閉まる方向、つまり吹出し風方向が上もしくは横に構成されるものであった。
【０００５】
また、空調装置が動作しておらずルーバーが閉まる場合、直接動力を伝えるルーバー以外のルーバーが自重で閉まる方向に吹出し風方向が構成されている場合は、直接動力を伝えるルーバーとそれ以外のルーバー同士をルーバーが閉まる位置で干渉させることによって、ルーバーの位置決めを行っていたが、天井に設置され、吹出し風方向が下向きである空調装置の風向調整用のルーバーは不可能であった。
【特許文献１】特開２００１−２４８８９３号公報（第１図）
【発明の開示】
【発明が解決しようとする課題】
【０００６】
本願発明は、上記課題を解決するためになされたもので、吹出し風の方向を変更するための複数のルーバーを開閉するリンク装置を備えた天井に設置される空調装置において、空調装置の吹出し停止時のルーバーの状態が閉の状態にあるとき、全てのルーバーが略（略も同じと解釈されるため）平行となり定位置に収まり、意匠上好適な空調装置を提供することにある。
【課題を解決するための手段】
【０００７】
上記目的を達成するために請求項１記載の発明のよれば、同形状の複数のルーバーと、該複数のルーバーの隣合うルーバーどうしを当接させ、前記複数のルーバーのそれぞれのルーバーの側方から隣り合う軸間間隔を等間隔としてクランク状に突出形成させたルーバー軸と、前記複数のルーバーごとに形成されたルーバー軸を挿入させる複数の同径の連結孔を有する連結杆とを備え空気の吹出し方向を下向きとして開閉するルーバー装置と、前記連結孔に前記ルーバー軸を挿入させ、前記ルーバー軸のうち駆動源に連結されたルーバー軸を駆動させることで、前記連結杆を介して前記複数のルーバーを連動させるリンク装置とを備えた空調装置において、前記連結杆の複数の連結孔は前記ルーバー軸に対してクリアランスを持って開口され、前記駆動源に連結されたルーバー軸が挿入される連結孔を除き、ルーバーが閉となるとき前記連結奸が移動する方向に位置するルーバー軸を挿入させる連結口においては、前記ルーバーの軸間間隔よりクリアランス分長くなるように設定し、ルーバーが開となるとき前記連結奸が移動する方向に位置するルーバー軸を挿入させる連結口においては、前記ルーバーの軸間間隔よりクリアランス分短くなるように設定している。
【０００８】
このような構成とすることにより、駆動源に直接接続されているルーバー以外のルーバーは、ルーバーが閉じたとき、ルーバーの回転軸とルーバー回転軸支持部との間のクリアランス及びルーバーの支軸と連結杆の連係孔との間のクリアランスによるクリアランス分が自重で垂れ下がろうとするが、連結杆に嵌合する連結孔どうしの中心軸との中心間間隔は、ルーバー回転軸の隣り合うルーバー回転軸どうしの中心軸間距離よりも、駆動源に直接接続されているルーバーよりも連結杆にてルーバーを閉じるとき移動する方向にあるルーバーは、距離を長く設定し、駆動源に直接接続されているルーバーよりも連結杆が、ルーバーを開く場合移動する方向にあるルーバーは距離を短く設定しているので、駆動源に直接接続されているルーバー以外のルーバーは閉まる方向に移動し、駆動源に直接接続されているルーバーとそれ以外のルーバーが略平行となるところで、自重とルーバーが閉まろうとする力が釣り合う。
従って、ルーバーが閉じたときも、全てのルーバーが略平行となるため、室内にルーバーが垂れ下がることがなくなり意匠上好適とすることが可能となる。また、垂れ下がったルーバーの隙間から塵や湿気が浸入する可能性があり、吹出口から空調装置内部機器に悪影響を及ぼすことを防止できる。
【０００９】
また、請求項２記載の発明のよれば、前記連結杆は可動ルーバー締結部を有し、前記可動ルーバー締結部をスライドさせることで、前記中心間間隔を調整可能とした。
【００１０】
このような構成とすることにより、ルーバー回転軸支持部のクリアランスと、連結杆の連係孔と支軸との間のクリアランス、生産上のばらつきや、組み立て上のばらつきなどで、更なる微妙な変化があっても、可変機構により連結杆の隣り合う連結孔どうしの中心軸との中心軸間距離は調節可能なため、この可変機構で調節することにより微調整することにより、ルーバーが閉じたとき、更に精度良く駆動源に直接接続されているルーバーとそれ以外のルーバーが平行とすることが可能となる。
【発明の効果】
【００１１】
本願発明によれば、天井に設置したルーバーが閉じたとき、駆動源に直接接続されているルーバーとそれ以外のルーバーとを略平行に保つことができ、ルーバーが垂れ下がることがなく、意匠向上を図ることができる。また、塵や湿気の浸入を防止することができる。
【発明を実施するための最良の形態】
【００１２】
図１および図２は、本願発明の実施例１に係る３枚の板材を並列させて構成した風向調整用のルーバー装置２を備えた浴室乾燥機１(空調装置)を天井(図示しない)に配設した図である。
浴室乾燥機１は、天井面から天井裏に向かって突出配設させた本体装置１ａと本体装置１ａを浴室側から覆う本体カバー１ｂとからなっている。本体装置１ａには図示しないが、浴室内の空気を吸込むための吸込口、この吸込まれた空気を暖めるためのヒータ、この暖められた空気を吹出す吹出口および浴室から空気を吸込み吹出させる送風機を備えている。送風機を回転駆動させ、浴室内の空気を吸込口から吸込み、吸込まれた空気をヒータで暖めて温風を吹出口から吹出すことで浴室内の空気を循環させ浴室の暖房および／または乾燥をしている。
ルーバ装置２は本体装置１ａの吹出口の位置に、浴室側へ突出固定されている。また、本体カバー１ｂには、本体装置１ａの吸込口と対向させた位置に柵状開口１ｃを、吹出口に配設されたルーバ装置２と対向させた位置に開口１ｄが形成され、本体装置１ａを本体カバー１ｂにより浴室側から覆うことで、柵状開口１ｃは本体装置１ａの吸込口位置に、開口１ｄはルーバー装置２の位置に配置され、ルーバー装置２は本体カバー１ｂの開口１ｄに嵌合され、本体カバー１ｂ内に収納されて本体装置１ａとともに浴室乾燥機１を構成している。
ルーバー装置２は３枚の板材を本体カバー１ｂの表面に合わせて並列に配置させルーバー３を構成し、ルーバー３は天井面と略水平位置から略垂直位置の間を移動または揺動することで乾燥装置１の吹出口から吹出す温風の吹出方向を調整可能としている。
図１は、浴室乾燥機１のルーバー装置２のルーバー３が開いている状態にある運転中の図、図２は、浴室乾燥機１のルーバー装置２のルーバー３が閉じている状態にある運転停止中の図である。
【００１３】
本願発明の実施例におけるルーバー装置２の構造について、図３から図６を用いて説明する。
図３は、主駆動ルーバー３ａと、主駆動ルーバー３ａの両側に並列させた２つの従駆動ルーバー３ｂ、３ｃとを合わせて３枚のルーバーを備えたルーバー装置２の斜視図であり、図４は図３のルーバー装置２の分解略図である。図５は本願発明の実施例におけるルーバー３の分解図であり、図６はルーバー３と連結杆５０とリンクして動く動きを示す部分の拡大図である。
【００１４】
図３に示すように、上面が開放された略箱形状のルーバー支持枠体４の中にルーバー３ａ、３ｂ、３ｃの平面部をルーバー支持枠体４の上面に合せて並列収納させている。また、ルーバー支持枠体４の一側面４Ａを他側面の中間部より内側に切削させて形成し、その切削した上部部分にルーバー軸押え９の立上部をルーバー支持枠体４の枠体上面に合せるよう配置させ、係合固定させている。また、対応する他方の側面４Ｂにはルーバー３を駆動させるための駆動モータ６を収納するモータ収納部７０が形成されている。
ルーバー３ａ、３ｂ、３ｃは略直方形の平面部から両側面を垂直に立ち上げた立上面部側面から、回転軸１３（主駆動ルーバーの回転軸１３ａ、従駆動ルーバー１の回転軸１３ｂ、従駆動ルーバー２の回転軸１３ｃ）を垂直に突出形成させ、各回転軸１３（主駆動ルーバーの回転軸１３ａ、従駆動ルーバー１の回転軸１３ｂ、従駆動ルーバー２の回転軸１３ｃ）は、先端が直角に折曲され、回転動力を円運動に変換させるための連結部１５（主駆動ルーバー回転軸と支軸の連結部１５ａ、従駆動ルーバー１回転軸と支軸の連結部１５ｂ、従駆動ルーバー２回転軸と支軸の連結部１５ｃ）が形成され、連結部１５の先端部にはルーバー３の動作を連結杆５０に連係するための支軸１２（主駆動ルーバーの支軸１２ａ、従駆動ルーバー１の支軸１２ｂ、主駆動ルーバー２の支軸１２ｃ）が連結部１５の先端部から直角に折曲されて形成され、回転軸１３と連結部１５と支軸１２とでルーバー軸全体を構成している。主駆動ルーバーの支軸１２ａ、従駆動ルーバー１の支軸１２ｂ、主駆動ルーバー２の支軸１２ｃの各軸芯間隔が同じになるように配設されている。
【００１５】
また、この支軸１２ａ、１２ｂ、１２ｃは、連結杆５０に形成された連係孔１１（連結杆の主駆動ルーバーとの連係孔１１ａ、連結杆の従駆動ルーバー１との連係孔１１ｂ、連結杆の従駆動ルーバー２との連係孔１１ｃ）にそれぞれ挿入係合されている。
ルーバー支持枠体４の側面４Ａには、回転軸１３（主駆動ルーバーの回転軸１３ａ、従駆動ルーバー１の回転軸１３ｂ、従駆動ルーバー２の回転軸１３ｃ）それぞれを嵌合して受ける半円形の軸受け凹部４ａ、４ｂ、４ｃおよび複数のビス孔部４ｄが形成されている。同様にルーバー軸押え９は、回転軸１３（主駆動ルーバーの回転軸１３ａ、従駆動ルーバー１の回転軸１３ｂ、従駆動ルーバー２の回転軸１３ｃ）それぞれを嵌合して受ける半円形の軸受け凹部９ａ、９ｂ、９ｃが形成された押え部９Ａと、この押え部９Ａの一端面から立ち上がる立上部９Ｂとからなり、ルーバー軸押え９の立上部をルーバー支持枠体４の切削上面に合せるよう配置させろと共に、押え部９Ａの複数のビス孔９ｄと側面４Ａに形成されたビス孔部４ｄとを合せてビスにて固定させることで回転軸１３を受ける連結孔１７ａ、１７ｂ、１７ｃが形成される。
【００１６】
また、ルーバー装置２には、主駆動ルーバー３ａに直接接続され主駆動ルーバー３ａを駆動させる駆動モータ６と、駆動モータ６を押える駆動モータ押えふた７と、３枚全てのルーバー３を連動可能に連結同じ方向へ駆動するように動力を伝える連結杆５０とが備えられており、駆動モータ６はモータ収納部７０に収納され、駆動モータ押え蓋７で固定されている。
【００１７】
それぞれの回転軸１３ａ、１３ｂ、１３ｃは、ルーバー支持枠体４とルーバー支持枠体４とは別体に形成されたルーバー軸押え９とでルーバー回転軸受け部１４（ルーバー支持枠体の主駆動ルーバー回転軸受け部１４ａ、ルーバー支持枠体の従駆動ルーバー回転軸受け部１４ｂ、ルーバー支持枠体の従駆動ルーバー回転軸受け部１４ｃ）を形成し、これらのルーバー回転軸受け部１４によりそれぞれの回転軸１３ａ、１３ｂ、１３ｃは支えられている。
各回転軸１３ａ、１３ｂ、１３ｃは先端が直角に折曲され、回転動力を円運動に変換させるための連結部１５（主駆動ルーバー回転軸と支軸の連結部１５ａ、従駆動ルーバー１回転軸と支軸の連結部１５ｂ、従駆動ルーバー２回転軸と支軸の連結部１５ｃ）が形成され、連結部の先端部にはルーバー３の動作を連結杆５０に連係するための支軸１２（主駆動ルーバーの支軸１２ａ、従駆動ルーバー１の支軸１２ｂ、主駆動ルーバー２の支軸１２ｃ）が連結部１５の先端部から直角に折曲されて形成され、回転軸と連結部と支軸とでルーバー軸を構成している。この支軸１２ａ、１２ｂ、１２ｃは、連結杆５０に形成された連係孔１１（連結杆の主駆動ルーバーとの連係孔１１ａ、連結杆の従駆動ルーバー１との連係孔１１ｂ、連結杆の従駆動ルーバー２との連係孔１１ｃ）にそれぞれ挿入係合されている。
このような構成となっているため、駆動モータ６を駆動により主駆動ルーバー３ａが回転運動すると、回転軸１３ａの回転運動に伴い、支軸１２ａは円運動を行うことによって、連結杆を介して従駆動ルーバー３ｂ、３ｃを連動可能にすることができる。
【００１８】
実際のルーバー装置２の動きについて図６を用いて説明する。図６はルーバー装置２であり、ルーバーの動きが分かりやすいように、ルーバー軸押え９が無い状態の図である。
駆動ルーバー３ａは、駆動モータ６に接続されており、駆動モータ６により、主駆動ルーバー回転軸１３ａを中心に回転運動を行なう。また、主駆動ルーバーと他の２つの従駆動ルーバーは、連結杆５０により主駆動軸の動きを従駆動ルーバーに伝えるように連結されており、全てのルーバーを連動可能にしている。
たとえば、駆動モータ６により主駆動ルーバーが回転軸１３ａを中心に回転し、主駆動ルーバーが開く方向つまり図６のＣ方向にルーバー３ａが動こうとする場合は、連結杆はＢ方向に動き、他の２つの従駆動ルーバー３ｂ、３ｃも、それぞれの回転軸１３ｂ、１３ｃを中心に回転し、開く方向のＣ方向へ駆動する。逆に駆動モータ６により主駆動ルーバーが回転軸１３ａを中心に回転し、閉る方向つまり図６のＤ方向にルーバー３ａが動こうとする場合は、連結杆はＡ方向に動き、他の２つの従駆動ルーバー３ｂ、３ｃもそれぞれの回転軸１３ｂ、１３ｃを中心に回転し、閉る方向のＤ方向へ駆動する。
【００１９】
図７はルーバー装置２が天井に配設された場合の投影図で、不具合を示す改善前の図である。図７もルーバーの動きが分かりやすいように、ルーバー軸押え９が無い状態の図である。
また、図８はルーバー装置２が天井に配設された場合の投影図で、回転軸と、ルーバー回転軸受け部のクリアランスが分かりやすいように、連結奸５１が無い状態の図である。
【００２０】
３枚のルーバー３それぞれが回転運動を行うために、各ルーバーの回転軸１３ａ、１３ｂ、１３ｃとルーバー回転軸受け部１４ａ、１４ｂ、１４ｃとの間にはクリアランス１６ａ、１６ｂ、１６ｃが必要となる。また、各ルーバーの支軸１２（１２ａ、１２ｂ、１２ｃ）と係合する連結杆５１の連係孔１１（１１ａ、１１ｂ、１１ｃ）との間にも同様にクリアランス１７ａ、１７ｂ、１７ｃが必要となるが、図７に示すように、各ルーバー回転軸の中心軸間距離Ｅａ、Ｆａ（この場合Ｅａ＝Ｆａ）と、連結杆５１に隣り合う前記連結孔どうしの中心軸との中心軸間距離Ｇａ、Ｈａを等しく設定してしまうと、各ルーバー３の回転軸１３ａ、１３ｂ、１３ｃとルーバー回転軸受け部１４ａ、１４ｂ、１４ｃとの間のルーバー回転軸受け部クリアランス１６（主駆動ルーバー回転軸とルーバー回転軸受け部クリアランス１６ａ、従駆動ルーバー１回転軸とルーバー回転軸受け部クリアランス１６ｂ、従駆動ルーバー２回転軸とルーバー回転軸受け部クリアランス１６ｃ）および、連結杆５１各ルーバーとの係合部に形成された連係孔クリアランス１７（主駆動ルーバーの支軸と連係孔クリアランス１７ａ、従駆動ルーバー２の支軸と連係孔クリアランス１７ｂ、従駆動ルーバー２の支軸と連係孔クリアランス１７ｃ）のため、主駆動ルーバー３ａが閉る位置まで移動しても従駆動ルーバー３ｂ、３ｃが自重により図７のように下向きに開いてしまう。
【００２１】
そこで、図９のように本願発明における連結杆５２では、各ルーバー回転軸の中心軸間距離Ｅａ、Ｆａ（Ｅａ＝Ｆａ）に対して、連結杆５２の隣り合う連結孔どうしの中心軸との中心間間隔において、中心軸間距離主駆動ルーバー３ａと従駆動ルーバー３ｂの接続部の中心軸間距Ｈｂは長く、主駆動ルーバー３ａと従駆動ルーバー３ｃの接続部の中心軸間距Ｇｂは短く設定している。
こうすることにより、主駆動ルーバー３ａが閉る位置まで移動したとき従駆動ルーバー３ｂ、３ｃは、従駆動ルーバーの自重で開こうとす力と連結杆５２によって閉まろうとする力がつりあうことによって、主駆動ルーバー３ａと略平行とすることが可能となる。
【００２２】
まず、主駆動ルーバー３ａと従駆動ルーバー３ｂの位置関係は、主駆動ルーバー３ａから見て、ルーバーが閉ろうとする時に連結杆５２が動く方向にある。（図８では、ルーバーが閉る時連結杆５２は右側に動く）
【００２３】
この場合、主駆動ルーバー３ａの回転軸１３ａと従駆動ルーバー３ｂの回転軸１３ｂの中心軸間距離Ｆａよりも、連結杆５２と主駆動ルーバー１３ａとの連係孔１１ａと連結杆５２と従駆動ルーバー１３ｂとの連係孔１１ｂの中心軸間距離Ｈｂを長く設定する。長く設定することで、その際、従駆動ルーバー３ｂの自重により開こうとする力と連結杆が従駆動ルーバー３ｂを止めようとする力が従駆動ルーバー１３ｂとの連結杆との支軸１２ｂと連結杆５２と従駆動ルーバー１３ｂとの連係孔１１ｂが干渉することにより釣り合い、ルーバーが閉った状態の時、主駆動ルーバーと略平行となるようにＨｂを調整される。
【００２４】
同様に、主駆動ルーバー３ａと従駆動ルーバー３ｃの位置関係は、主駆動ルーバー３ａから見て、ルーバーが開こうとする時に連結杆５２が動く方向にある。（図７では、ルーバーが開く時連結杆５２は左側に動く）
【００２５】
この場合、主駆動ルーバーの回転軸１３ａと従駆動ルーバー３ｃの回転軸１３ｃの中心軸間距離Ｅａよりも、連結杆５２と主駆動ルーバー１３ａとの連係孔１１ａと連結杆５２と従駆動ルーバー１３ｃとの連係孔１１ｃの中心軸間距離Ｇｂを短く設定する。短く設定することで、その際、従駆動ルーバー３ｃの自重により開こうとする力と連結杆が従駆動ルーバー３ｃを止めようとする力が従駆動ルーバー１３ｃとの連結杆との支軸１２ｃと連結杆５２と従駆動ルーバー１３ｃとの連係孔１１ｃが干渉することにより釣り合い、ルーバーが閉った状態の時、主駆動ルーバーと略平行となるようにＧｂを調整してある。
【００２６】
上記のような連結杆５２の構成を採ることにより、天井に設置される浴室乾燥機１の運転が停止していて、ルーバー閉っているとき、主駆動ルーバー３ａ、従駆動ルーバー３ｂ、３ｃは略平行とすることが可能となる。
【００２７】
次に、本願発明の実施例２について説明する。実施例１と違う点は、図１０のように連結杆５３を主駆動ルーバー３ａと従駆動ルーバー３ｂ、３ｃとの隣り合う連結孔どうしの中心軸との中心間間隔Ｇｃ、Ｈｃを施工時に変更可能にしたことである。
【００２８】
連結杆５３の構造について、図１０と図１２を用いて説明する。図１０は本願発明の実施例２における連結杆を備えたルーバー状態を示す図であり、図１１は実施例２における連結杆の斜視図であり、図１２は実施例２における連結杆の分解斜視図である。
図１１のように、連結杆５３は固定ルーバー締結部６０、可動ルーバー締結部６１、固定用ネジ６２から構成されている。
可動ルーバー締結部６１は、固定ルーバー締結部６０と別体であり、左右に移動可能な構造なため、主駆動ルーバー３ａと従駆動ルーバー３ｂ、３ｃとの隣り合う連結孔どうしの中心軸との中心間間隔Ｇｃ、Ｈｃを、可動ルーバー締結部６１を移動し、ネジ６２固定することによって、変更し調整することが可能となる。
【００２９】
図１２の分解図の固定ルーバー締結部６０の上方から可動ルーバー締結部６１を固定ルーバー締結部６０のネジ孔と可動ルーバー締結部６１のネジ孔を合わせて装着し、固定用ネジ締結する。
また、固定ルーバー締結部６０と可動ルーバー締結部６１固定は固定用ネジ６２で固定できる構成となっており、可動ルーバー締結部６１を左右に移動し、ルーバーが閉った状態の時、主駆動ルーバー３ａと従駆動ルーバー３ｂ、３ｃが略平行となるようにＧｃ、Ｈｃを調整した後、固定ルーバー締結部６０と可動ルーバー締結部６１を固定する。
【００３０】
このような構成とすることにより、製造のバラツキにより各ルーバーの回転軸１３ａ、１３ｂ、１３ｃとルーバー回転軸受け部１４ａ、１４ｂ、１４ｃとのクリアランスおよび、連結杆５１の各ルーバーとの連係孔１１ａ、１１ｂ、１１ｃと、各ルーバーの支軸１２ａ、１２ｂ、１２ｃとのクリアランスが大きく変動しても主駆動ルーバー３ａと従駆動ルーバー３ｂ、３ｃとの隣り合う連結孔どうしの中心軸との中心間間隔Ｇｃ、Ｈｃを調整することにより、主駆動ルーバー３ａ、従駆動ルーバー３ｂ、３ｃを略平行とすることが可能となる。
【図面の簡単な説明】
【００３１】
【図１】本願発明の実施例における浴室乾燥機の運転中の図である。
【図２】本願発明の実施例における浴室乾燥機の運転停止中の図である。
【図３】本願発明の実施例におけるルーバーの斜視図である。
【図４】本願発明の実施例におけるルーバーの分解略図である。
【図５】本願発明の実施例におけるルーバーの分解図である。
【図６】本願発明の実施例におけるルーバーと連結杆部分の拡大図である。
【図７】本願発明の実施例１における天井に配設された場合の不具合を示す図である。
【図８】本願発明の実施例１におけるルーバー回転軸とルーバー回転軸受け部クリアランスを示す図である。
【図９】本願発明の実施例１におけるルーバー状態を示す図である。
【図１０】本願発明の実施例２における連結杆を備えたルーバー状態を示す図である。
【図１１】本願発明の実施例２における連結杆の斜視図である。
【図１２】本願発明の実施例２における連結杆の分解斜視図である。
【符号の説明】
【００３２】
１…浴室乾燥機
１ａ…本体装置
１ｂ…本体カバー
１ｃ…柵状開口
１ｄ…開口
２…ルーバー装置
３…ルーバー
３ａ…主駆動ルーバー
３ｂ…従駆動ルーバー１
３ｃ…従駆動ルーバー２
４…ルーバー支持枠体
６…駆動モータ
７０…モータ収納部
７…駆動モータ押え蓋
９…ルーバー軸押え
１１…連係孔
１１ａ…連結杆の主駆動ルーバーとの連係孔
１１ｂ…連結杆の従駆動ルーバー１との連係孔
１１ｃ…連結杆の従駆動ルーバー２との連係孔
１２…支軸
１２ａ…主駆動ルーバーの支軸
１２ｂ…従駆動ルーバー１の支軸
１２ｃ…主駆動ルーバー２の支軸
１３…回転軸
１３ａ…主駆動ルーバーの回転軸
１３ｂ…従駆動ルーバー１の回転軸
１３ｃ…従駆動ルーバー２の回転軸
１４…ルーバー回転軸受け部
１４ａ…ルーバー支持枠体の主駆動ルーバー回転軸受け部
１４ｂ…ルーバー支持枠体の従駆動ルーバー回転軸受け部
１４ｃ…ルーバー支持枠体の従駆動ルーバー回転軸受け部
１５…連結部
１５ａ…主駆動ルーバー回転軸と支軸の連結部
１５ｂ…従駆動ルーバー１回転軸と支軸の連結部
１５ｃ…従駆動ルーバー２回転軸と支軸の連結部
１６…ルーバー回転軸受け部クリアランス
１６ａ…主駆動ルーバー回転軸とルーバー回転軸受け部クリアランス
１６ｂ…従駆動ルーバー１回転軸とルーバー回転軸受け部クリアランス
１６ｃ…従駆動ルーバー２回転軸とルーバー回転軸受け部クリアランス
１７…連係孔クリアランス
１７ａ…主駆動ルーバーの支軸と連係孔クリアランス
１７ｂ…従駆動ルーバー２の支軸と連係孔クリアランス
１７ｃ…従駆動ルーバー２の支軸と連係孔クリアランス
５０…連結杆
５１…改善前の連結杆
５２…改善後の連結杆
５３…実施例２における連結杆
６０…固定ルーバー締結部
６１…可動ルーバー締結部
６２…固定用ネジ
【図４】
2005241238.tif 000003
【図５】
2005241238.tif 000004
【図６】
2005241238.tif 000005
【図７】
2005241238.tif 000006
【図８】
2005241238.tif 000007
【図９】
2005241238.tif 000008
【図１０】
2005241238.tif 000009
【図１１】
2005241238.tif 000010
【図１２】
2005241238.tif 000011
【図１】
2005241238.tif 000012
【図２】
2005241238.tif 000013
【図３】
2005241238.tif 000014